(57)【要約】【課題】多直列の接続された二次電池の充電制御を対価各で構成し、また、充電時に必要とされる最大電圧を低減することを目的とする。【解決手段】複数の直列接続された蓄電池を１電池ブロックとし、前記電池ブロックを複数接続された組電池と、前記の全ての電池ブロックの電池電圧を順番に検出する１つの電圧検出部と、前記電圧検出部と前記電池ブロックとは複数のスイッチを介して接続され、複数のスイッチは複数の電池ブロックの電池電圧が個々に電圧検出部に電圧検出が出来るように前記スイッチのＯＮとＯＦＦを行い、スイッチがＯＮの期間に１電池ブロックの電圧を検出し、残りのＯＮ時間で電圧検出回路と並列に接続された充電用電源で１電池ブロック電池を充電し、複数の電池ブロックで構成された組電池の複数の電池ブロックを順番に充電することで上記課題を解決できる。【選択図】図１
2008220021.tif 000002
【特許請求の範囲】
【請求項１】
蓄電池を複数直列接続してなる電池ブロックと、
前記電池ブロックを複数直列接続してなる組電池と、
前記電池ブロックの電池電圧を検出する単一の電圧検出回路と、
前記電池ブロックを充電する充電用電源と、
前記電圧検出回路からの信号を判定して前記充電用電源を制御する制御回路とを備え、
それぞれの前記電池ブロックと前記電圧検出回路とがスイッチを介して接続され、単一の前記電池ブロックにつながるスイッチのみがＯＮの期間に前記単一の電池ブロックの電池電圧検出と充電を行うことを全ての前記電池ブロックに順次行うことを特徴とする充電装置。
【請求項２】
各電池ブロック毎に充電制御を行い、いずれかの前記電池ブロックの充電が完了したことが検出されると、他の前記電池ブロックの充電も停止することを特徴とする請求項１記載の充電装置。
【請求項３】
組電池の最大総電圧を設定して、充電時に個々の前記電池ブロックの総電圧を検出又は個々の前記電池ブロック電圧の総和をもとめ、決められた総電圧以上となると充電を停止する請求項１記載の充電装置。
【請求項４】
充電用電源と並列に放電回路を接続し、電圧が高い電池ブロックの放電を前記スイッチがＯＮの期間に前記電池ブロックの電圧を検出し、残りの時間で前記放電回路が動作し、前記電池ブロックを放電し、各電池ブロックの均等化を行う請求項１記載の充電装置。
【発明の詳細な説明】
【技術分野】
【０００１】
本発明は、公共関係や産業関係等のバックアップ電源に用いられる高電圧が要求される組電池の充電装置に関するものである。
【背景技術】
【０００２】
従来の充電装置には、組み電池をまとめて充電することが知られている。従来の充電装置例を図３に示す。図３において３０１及び３０１は電池の電圧検出回路でそれぞれ、電池３１１〜３１３と３１４〜３１７の電池電圧を検出し、選出した値を３４１の制御マイコンに信号をおくり、充電は３２１の充電制御スイッチをＯＮ・ＯＦＦすることにより充電制御され、充電部３３１から供給される電流により、一括しての全ての組電池を充電していた（例えば、特許文献１参照）。
【特許文献１】特開２００３−１１１２９５号公報
【発明の開示】
【発明が解決しようとする課題】
【０００３】
しかしながら、前記従来の充電装置では、高電圧に接続された組電池を一度に充電するため、高電圧の電源が必要となり、高価な装置になったり、組み電池の最大電圧の規制がある場合、一度に充電すると全ての電池電圧が高くなり、負荷への供給電圧より高くなるため、組み電池の出力に電圧ドロップ回路を接続して負荷に接続し、負荷への供給電圧を低く設定する必要があり、回路が複雑となる課題を有していた。
【課題を解決するための手段】
【０００４】
本発明の充電装置は、蓄電池を複数直列接続してなる電池ブロックと、前記電池ブロックを複数直列接続してなる組電池と、前記電池ブロックの電池電圧を検出する単一の電圧検出回路と、前記電池ブロックを充電する充電用電源と、前記電圧検出回路からの信号を判定して前記充電用電源を制御する制御回路とを備え、それぞれの前記電池ブロックと前記電圧検出回路とがスイッチを介して接続され、単一の前記電池ブロックにつながるスイッチのみがＯＮの期間に前記単一の電池ブロックの電池電圧検出と充電を行うことを全ての前記電池ブロックに順次行うことを特徴とするものである。
【０００５】
また、各電池ブロック毎に充電制御を行い、いずれかの前記電池ブロックの充電が完了したことが検出されると、他の前記電池ブロックの充電も停止することを特徴とするものである。
【０００６】
また、組電池の最大総電圧を設定して、充電時に個々の前記電池ブロックの総電圧を検出又は個々の前記電池ブロック電圧の総和をもとめ、決められた総電圧以上となると充電を停止するものである。
【０００７】
さらに、充電用電源と並列に放電回路を接続し、電圧が高い電池ブロックの放電を前記スイッチがＯＮの期間に前記電池ブロックの電圧を検出し、残りの時間で前記放電回路が動作し、前記電池ブロックを放電し、各電池ブロックの均等化を行うものである。
【発明の効果】
【０００８】
本発明によると、充電装置の電源部分を低電圧することにより小型化となること、また電池電圧の検出用のスイッチと充電スイッチと共用化でき小型化と低価格化できること、また、最大電圧を低く設定できること、また、均等充電も個別に出来る充電装置を得ることができる。
【発明を実施するための最良の形態】
【０００９】
以下、本発明を実施するための最良の形態を図面を参照にしながら説明する。
（実施の形態１）
図１は本発明の実施の形態における二次電池の充電装置の図である。図１において１４１は電池ブロックで蓄電池１１１〜１１５で構成される。また、電池ブロック１４２は蓄電池１１６〜１２０で構成される。また、電池ブロック１４３は蓄電池１２１〜１２５で構成される。電池ブロックは直列に接続され、最大電圧部１６１と最低電圧部１６２は負荷等に接続される。１０１は電圧検出回路で電池ブロックの電圧を検出し、１３１は充電用電源で各電池ブロックの電流供給として使用される。１５８は制御回路であり１０１の電圧検出回路からの信号を判定し、装置全体の制御を行う。また、１５１〜１５７はスイッチであり制御回路１５８からの信号により、ＯＮとＯＦＦを行う。これにより電池ブロック１４１の電圧を検出するときはスイッチ１５１とスイッチ１５２とをＯＮし、他のスイッチをＯＦＦにすることにより検出ができる。次に充電については、電池ブロック１４１の電圧を検出後に制御回路１５８から充電用電源１３１に信号を送り、充電用電源を動作させることにより、スイッチ１５１とスイッチ１５２とがＯＮの間に充電を行うことができる。次に制御回路１５８はスイッチ１５３と１５４のみをＯＮすることにより、同様に電池ブロック１４２の電圧検出と充電を行う。
【００１０】
次に制御回路１５８はスイッチ１５６と１５７のみをＯＮすることにより、同様に電池ブロック１４３の電圧検出と充電を行う。
【００１１】
そして再び制御回路１５８は電池ブロック１４１、１４２・・・、１４３と電池電圧を検出し、充電が必要な場合、制御回路１５８から充電用電源に信号をおくり、スイッチがＯＮしている間に、順番に繰り返し充電を行う。
【００１２】
このＯＮ時間は例えば、０．５秒として、各電池ブロックを順番にＯＮにしていくことができる。
【００１３】
また、各電池ブロックの電圧を電圧検出回路１０１からの信号をもとに制御回路１５８が制御を行い、充電が完了とした場合、全ての電池ブロック充電も完了することができる。
【００１４】
また、各電池ブロックの電圧を全て足し算することにより、最大電圧が求まり、最大電圧が、規制される場合は充電を止めて、最大電圧の抑制が可能となる。
【００１５】
本発明は公共関係や産業関係等のバックアップ電源に用いられる高電圧の電源装置にもちいられ、充電器の電源の耐圧が低く設定できること、電圧検出スイッチと充電スイッチとを兼用できるため低価格構成が可能であること、また、ブロックごとで充電するため総電圧を低く抑えることができる。
（実施の形態２）
図２は本発明の実施の形態における二次電池の充電装置の図である。実施の１の形態に対し、追加分のみを説明する。１５９は放電回路であり、高電圧や過充電をされた電池ブロックの放電を行う。電池ブロック１４１が放電が必要な場合、スイッチ１５１とスイッチ１５２とがＯＮにている間に、電池ブロックの電圧を測定し、残りの時間で制御回路１５８から放電回路１５９に信号を送り放電を実施する。実施形態１同様制御回路１５８がスイッチ１５１から１５７を周期的にＯＮとＯＦＦを繰り返し、全電池ブロックを均等に制御を行う。
【００１６】
なお、蓄電池としては、ニッケル水素蓄電池や非水電解質二次電池や鉛蓄電池等の各種
電池を用いることができる。
【００１７】
また、充電用電源１３１への逆流を防止するために逆流防止ダイオードを備えても良い。
【産業上の利用可能性】
【００１８】
本発明にかかる二次電池の充電装置は、多直列に接続された電池の制御を低価格で実現でき、充電電圧を低く抑える特有の効果を有しており、産業用に使用されるバックアップ電源等に有効である。
【図面の簡単な説明】
【００１９】
【図１】本発明の実施の形態１における構成図
【図２】本発明の実施の形態２における構成図
【図３】従来の構成図
【符号の説明】
【００２０】
１０１  電圧検出回路
１１１〜１２５  蓄電池
１３１  充電用電源
１４１〜１４３  電池ブロック
１５１〜１５７  スイッチ
１５８  制御回路
１５９  放電回路
１６１  最大電圧部
１６２  最低電圧部  
【図１】
2008220021.tif 000003
【図２】
2008220021.tif 000004
【図３】
2008220021.tif 000005